(57)【要約】【課題】昇降路内での保守点検の作業中に予期せずにかごが移動したときに、そのかごを速やかに緊急停止させて作業員に及ぶ不測の危険を防止することができるエレベータの緊急停止装置を提供する。【解決手段】昇降路１内に配置されて上下に移動するかご２と、かご２の移動を緊急停止させることが可能な非常止め装置１５と、昇降路１内の保守点検作業員が携帯し、その作業員による操作で無線信号を送信することが可能な携帯式の送信機１８と、かご２に設けられ、送信機１８から送信される信号を受信することが可能な受信部２４と、受信部２４が信号を受信したときに非常止め装置１５を駆動してかご２を緊急停止させる駆動装置１６とを具備し、かご２が予期せずに移動したときに、作業員が送信機１８を操作し、受信部２４に無線信号を送ることで、かご２を緊急停止させて作業員へ及ぶ危険を回避する。【選択図】    図１
2011162275.tif 000002
【特許請求の範囲】
【請求項１】
エレベータの昇降路内に配置されて上下に移動するかごと、
前記かごの移動を緊急停止させることが可能な非常止め装置と、
前記昇降路内に入り込んで保守点検の作業を行なう作業員が携帯し、その作業員による操作で無線信号を送信することが可能な携帯式の送信機と、
前記かごに設けられ、前記送信機から送信される信号を受信することが可能な受信部と、
前記受信部が前記信号を受信したときに前記非常止め装置を動作させて前記かごを緊急停止させる駆動装置と、
を具備することを特徴とするエレベータの緊急停止装置。
【請求項２】
前記昇降路内には複数のかごが配置され、その各かごにそれぞれ受信部が設けられ、作業員が携帯する送信機には、その各かごの受信部に対応する無線信号を送信することが可能な複数の操作部が設けられていることを特徴とする請求項１に記載のエレベータの緊急停止装置。
【請求項３】
前記受信部は、前記かごの下部と上部とに設けられていることを特徴とする請求項１又は２に記載のエレベータの緊急停止装置。
【発明の詳細な説明】
【技術分野】
【０００１】
この発明は、エレベータの保守点検時における作業員の安全を図るために、かごが予期せずに移動したときにそのかごを緊急停止させるエレベータの緊急停止装置に関する。
【背景技術】
【０００２】
つるべ式のエレベータは、建屋の昇降路内にかごが吊り下げられ、そのかごが駆動装置（巻上機）により駆動されて昇降路内で上下に昇降する。このような一般的なつるべ式のエレベータの構造を図７に示してある。建屋に設けられた昇降路１内にはかご２が配置されている。かご２はメインロープ３を介して昇降路１内に吊り下げられ、そのメインロープ３が駆動装置としての巻上機（図示せず）に巻き掛けられている。
エレベータ利用者によるかご呼び登録や行先階登録の操作が行なわれると、その信号が運転駆動装置（制御盤）に送られ、この運転駆動装置により巻上機が制御され、その制御でかご２が昇降路１内で上下に昇降移動する。かご２の前端下部にはその下方に延びるエプロン４が設けられている。昇降路１の最下部は、建屋の最下階のエレベータホール５の床面よりも下方に落ち込むピット６となっており、このピット６の床部にバッファ７，８が設置されている。
一般にエレベータは、例えば特開２００３−１７６０８５公報（特許文献１）に見られるように、通常時には平常運転モードで運転され、エレベータの保守点検時には保守運転モードに切換えられる。保守運転モードのときには、かご２を適宜手動で運転することができる。
保守点検の作業時には、エレベータの運転が平常運転モードから保守運転モードに切換えられる。そして作業員は、エレベータホール５の乗場ドア１１を開いてピット６内に入り込み、昇降路１内の各部に対する保守点検の作業を行なう。
【０００３】
昇降路１の外部には、保守点検作業時にかご２が不用意に移動するのを防止するためのピット安全スイッチ１０が設けられている。作業員がピット６内に入る前には、そのピット安全スイッチ１０を操作して回路を開き、安全を図る。そして作業が終了したときには、ピット６から作業員が出て、ピット安全スイッチ１０を操作して回路を閉じ、平常運転モードでの運転を可能にする。
【０００４】
前記特許文献１においては、エレベータの呼び登録をリモコン操作で行なえるようになっていて、保守点検のために保守運転モードに切換えられときには、そのリモコン操作によるエレベータの呼び登録があってもそれを無効にしてかごの移動を規制し、作業員の安全を図るようにしている。
【先行技術文献】
【特許文献】
【０００５】
【特許文献１】特開２００３−１７６０８５号公報
【発明の概要】
【発明が解決しようとする課題】
【０００６】
しかしながら、従来においては、点検作業を開始する前に行なうべきピット安全スイッチ１０の操作をうっかり忘れてしまったり、あるいは何らかのトラブルが発生したりするなどして、昇降路内での保守点検の作業中にかごが予期せずに移動する可能性がある。
【０００７】
また、前記特許文献１では、エレベータの呼び登録をリモコン操作で行なえるようになっていて、保守点検時にはそのリモコン操作によるエレベータの呼び登録があってもそれを無効にして作業員の安全を図るようにしているが、この特許文献１のものにおいても何らかのトラブルの発生でかごが予期せずに移動する可能性はある。そして昇降路内での点検作業中にかごが予期せずに移動すれば、作業員に不測の危険が及ぶことになる。
【０００８】
この発明はこのような点に着目してなされたもので、その目的とするところは、昇降路内での保守点検の作業中に予期せずにかごが移動したときに、そのかごを速やかに緊急停止させて作業員に及ぶ不測の危険を防止することができるエレベータの緊急停止装置を提供することにある。
【課題を解決するための手段】
【０００９】
このような目的を達成するために、請求項１の発明は、エレベータの昇降路内に配置されて上下に移動するかごと、前記かごの移動を緊急停止させることが可能な非常止め装置と、前記昇降路内に入り込んで保守点検の作業を行なう作業員が携帯し、その作業員による操作で無線信号を送信することが可能な携帯式の送信機と、前記かごに設けられ、前記送信機から送信される信号を受信することが可能な受信部と、前記受信部が前記信号を受信したときに前記非常止め装置を動作させて前記かごを緊急停止させる駆動装置とを具備することを特徴としている。
【００１０】
請求項２の発明は、前記昇降路内には複数のかごが配置され、その各かごにそれぞれ受信部が設けられ、作業員が携帯する送信機には、その各かごの受信部に対応する無線信号を送信することが可能な複数の操作部が設けられていることを特徴としている。
【００１１】
請求項３の発明は、前記受信部が、前記かごの下部と上部とに設けられていることを特徴としている。
【図面の簡単な説明】
【００１２】
【図１】この発明の第１の実施形態に係る緊急停止装置を説明するための図。
【図２】その緊急停止装置の送信機の正面図。
【図３】その緊急停止装置の電気的な構成を示すブロック図。
【図４】その緊急停止装置の動作の流れを示す図。
【図５】この発明の第２の実施形態に係る緊急停止装置を説明するための図。
【図６】その緊急停止装置の送信機の正面図。
【図７】従来一般のエレベータの構成を説明するための図。
【発明を実施するための形態】
【００１３】
以下、この発明の実施の形態について図１〜図６を参照して説明する。なお、図７に示す従来の構成と対応する部分には同一の符号を付してその重複する説明を省略する。
【００１４】
図１〜図４には第１の実施形態を示してある。図１に示すように昇降路１内に配置されたかご２には、その移動を停止させる非常止め装置１５が設けられている。この非常止め装置１５は、例えばかご２の昇降移動をガイドするガイドレール（図示せず）と係合可能なくさび機構を備え、そのくさび機構の機械的な動作でかご２を停止させる構造となっている。
非常止め装置１５としては、エレベータのガバナ装置に連動して動作する通常一般の非常止め装置であってもよいし、別個の非常止め装置であってよい。そして前記非常止め装置１５は、駆動装置１６により駆動することが可能となっている。
図２には、昇降路１内に入り込んで保守点検の作業を行なう作業員が携帯する送信機１８を示してある。この送信機１８は、例えば赤外線式のリモコンであって、ボディ１９の表面に操作部２０を有し、その操作部２０を作業員が手先で操作することにより出力部２１から赤外線による所定の無線信号が出力されるようになっている。
送信機１８のボディ１９にはストラップ２２が取り付けられており、このストラップ２２を介して送信機１８を作業員が身に付けて携帯することが可能となっている。なお、送信機１８は、作業員の衣服ポケットに収納して携帯したり、ベルトやヘルメットなどに付設して携帯することも可能である。
かご２の例えば底部下面には、前記送信機１８が出力する信号を受信することが可能な受信部２４が設けられている。この受信部２４は図３に示すように駆動装置１６に接続され、この受信部２４が所定の信号を受信したときに、駆動装置１６が動作するようになっている。
次に、この実施形態の作用について、図４を参照して説明する。エレベータの保守点検時には、作業員は送信機１８を携帯して昇降路１のピット６内に入り、昇降路１内の各種の機器などに対する保守点検の作業を行なう（Ｓ１）。作業員が複数人のときにはその各作業員がそれぞれ送信機１８を携帯する。
【００１５】
保守点検の作業中において、何らかのトラブルなどによりかご２が予期せずに移動し（Ｓ２）、そのかご２の下方で作業をしている作業員に危険が及ぶような事態が発生したときには、その作業員自身が、あるいは昇降路１内で作業する他の作業員が送信機１８を取り出してその操作部２０を操作する（Ｓ３）。この操作により、出力部２１から赤外線の無線信号が出力され、その信号がかご２の受信部２４で受信される。そしてこの受信に応じて駆動装置１６が動作して非常止め装置１５が駆動され、この非常止め装置１５の動作（Ｓ４）でかご２が緊急停止する（Ｓ５）。
【００１６】
したがって、かご２の下方で作業する作業員に危険が及ぶような事態を回避することができる。そして、かご２の予期せぬ移動の原因を調査し、その原因が判明したときには、その処置を行ない、その後に非常止め装置１５による非常止めを解除する。
【００１７】
なお、保守点検の作業中にかご２が予期せずに移動したときには、その移動による動作音や振動などによりそのかご２の移動を察知することができる。したがってその察知で作業員が速やかに送信機１８を操作して危険の発生を未然に防止することができる。
図５には第２の実施形態を示してある。この第２の実施形態においては、断面形状の大きな昇降路１内に複数の例えば１号機、２号機、３号機のかご２ａ，２ｂ，２ｃが横に並んで配置され、これらかご２ａ，２ｂ，２ｃが個々に運転され、共通の昇降路１内で上下に移動する。そして各かご２ａ，２ｂ，２ｃの底部下面及び天部上面にそれぞれ受信部２５ａ，２６ａ，２５ｂ，２６ｂ，２５ｃ，２６ｃが設けられている。
【００１８】
図６には作業員が携帯する送信機１８を示してあり、この実施形態の送信機１８においては、ボディ１９の表面に操作部として、各かご２ａ，２ｂ，２ｃに対応する第１、第２、第３のボタン２０ａ，２０ｂ，２０ｃが設けられている。これらボタン２０ａ，２０ｂ，２０ｃは、その操作に応じて出力部２１から異なる信号、つまり異なる波長の赤外線の信号を出力する機能を有している。
【００１９】
１号機のかご２ａに設けられた受信部２５ａ，２６ａは、送信機１８の第１のボタン２０ａの操作で出力された信号を受信することが可能で、その信号の受信で１号機のかご２ａの駆動装置１６が動作し、また２号機のかご２ｂに設けられた受信部２５ｂ，２６ｂは、送信機１８の第２のボタン２０ｂの操作で出力された信号を受信することが可能で、その信号の受信で２号機のかご２ｂの駆動装置１６が動作し、さらに３号機のかご２ｃに設けられた受信部２５ｃ，２６ｃは、送信機１８の第３のボタン２０ｃの操作で出力された信号を受信することが可能で、その信号の受信で３号機のかご２ｃの駆動装置１６が動作するようになっている。
【００２０】
この第２の実施形態においては、昇降路１内に複数の作業員が入り込んで作業をしている最中に、例えば１号機のかご２ａが予期せずに下方に移動し、そのかご２ａの下方で作業をしている作業員に危険が及ぶような事態が発生したときには、その近くの一人あるいは複数人の作業員が自己が所有する送信機１８を取り出してその操作部の第１のボタン２０ａを操作する。この操作により、出力部２１から１号機のかご２ａに対応する赤外線の無線信号が出力され、その信号がかご２ａの受信部２５ａや２６ａで受信される。
【００２１】
そしてこの受信に応じてかご２ａの駆動装置１６が動作して非常止め装置１５が駆動され、この非常止め装置１５の動作でかご２ａが緊急停止する。したがって、かご２ａの下方で作業する作業員に危険が及ぶような事態を回避することができる。
【００２２】
また同様に、２号機のかご２ｂが予期せずに移動したときには、送信機１８の第２のボタン２０ｂを操作することで、その２号機のかご２ｂを緊急停止させることができ、３号機のかご２ｃが予期せずに移動したときには、送信機１８の第３のボタン２０ｃを操作することで、その３号機のかご２ｃを緊急停止させることができる。
特にこの実施形態では、各かご２ａ，２ｂ，２ｃの下部及び上部にそれぞれ受信部２５ａ，２６ａ，２５ｂ，２６ｂ，２５ｃ，２６ｃが設けられているから、例えば図５に示すように、２号機のかご２ｂの天井部に乗って作業をする作業員が、その隣りの１号機のかご２ａの異常移動を察知したときに、その天井部の作業員が送信機１８を操作して異常移動するかご２ａの上部の受信部２６ａに向って信号を出力することで、そのかご２ａを的確にかつ速やかに緊急停止させることができる。
【符号の説明】
【００２３】
１…昇降路
２…かご
２ａ．２ｂ．２ｃ…かご
５…エレベータホール
６…ピット
１０…ピット安全スイッチ
１５…非常止め装置
１６…駆動装置
１８…送信機
１９…ボディ
２０…操作部
２０ａ…第１のボタン
２０ｂ…第２のボタン
２０ｃ…第３のボタン
２１…出力部
２４…受信部
２５ａ．２６ａ…受信部
２５ｂ．２６ｂ…受信部
２５ｃ．２６ｃ…受信部
【図１】
2011162275.tif 000003
【図２】
2011162275.tif 000004
【図３】
2011162275.tif 000005
【図４】
2011162275.tif 000006
【図５】
2011162275.tif 000007
【図６】
2011162275.tif 000008
【図７】
2011162275.tif 000009